(57)【要約】      （修正有）【課題】より簡単かつ安全に鼻毛の処理をすることを可能とする鼻毛抜き器を提供する。【解決手段】鼻毛抜き器は、脱毛ワックス８を用いて鼻毛を抜くための鼻毛抜き器であって、一方向に延伸し、先端１２Ｔ側に設けられた複数の凹凸部１６を有する把持部１２と、複数の凹凸部１６の１つに嵌合可能な切欠き１４ａを有し、先端１２Ｔ側に位置する天井面に脱毛ワックス８が載置される鍔部１４と、を備えることを特徴とする。把持部１２は、円柱状に延びる棒部材であり、複数の凹凸部１６は、先端側に所定の間隔をおいて形成される複数のドーナツ型の溝部であり、鍔部１４の外形は円形である。【選択図】図２
2020089609.tif 000002
【特許請求の範囲】
【請求項１】
脱毛ワックスを用いて鼻毛を抜くための鼻毛抜き器であって、
一方向に延伸し、先端側に設けられた複数の凹凸部を有する把持部と、
前記複数の凹凸部の１つに嵌合可能な切欠きを有する鍔部であり、前記先端側に位置する天井面に前記脱毛ワックスが載置される鍔部と、
を備えることを特徴とする鼻毛抜き器。
【請求項２】
請求項１に記載の鼻毛抜き器において、
前記把持部は、円柱状に延びる棒部材であり、
前記複数の凹凸部は、前記先端側に所定の間隔をおいて形成される複数のドーナツ型の溝部であり、
前記鍔部の外形は円形であることを特徴とする鼻毛抜き器。
【請求項３】
請求項２に記載の鼻毛抜き器において、
前記ドーナツ型の溝部の中心に位置する前記把持部の軸部は、１ｍｍ〜３ｍｍの直径を有し、
前記鍔部の前記天井面は、１ｃｍ〜２ｃｍの直径を有し、
前記鍔部の前記切欠きは、１ｍｍ〜３ｍｍの幅を有することを特徴とする鼻毛抜き器。
【発明の詳細な説明】
【技術分野】
【０００１】
本発明は、鼻毛抜き器に関する。
【背景技術】
【０００２】
従来、鼻毛が伸びて鼻から鼻毛が出る場合にはハサミなどを用いてカットするなどの対応がなされている。本発明に関連する技術として、例えば、特許文献１には、切断刃を有する一対の刃部と、一対の該刃部を開位置と閉位置との間で操作するための操作部とを備え、一対の前記刃部の少なくともいずれか一方は、閉位置のときに先端が閉じないように切欠部を備えることを特徴とする鼻毛抜き器が開示されている。
【先行技術文献】
【特許文献】
【０００３】
【特許文献１】特開２００５−３０４６５５号公報
【発明の概要】
【発明が解決しようとする課題】
【０００４】
上記のようにハサミを用いて鼻毛の処理をしていると時間がかかる虞や、鼻の粘膜などを傷つけてしまう虞がある。
【０００５】
本発明の目的は、より簡単かつ安全に鼻毛の処理をすることを可能とする鼻毛抜き器を提供することである。
【課題を解決するための手段】
【０００６】
本発明に係る鼻毛抜き器は、脱毛ワックスを用いて鼻毛を抜くための鼻毛抜き器であって、一方向に延伸し、先端側に設けられた複数の凹凸部を有する把持部と、前記複数の凹凸部の１つに嵌合可能な切欠きを有する鍔部であり、前記先端側に位置する天井面に前記脱毛ワックスが載置される鍔部と、を備えることを特徴とする。
【０００７】
また、本発明に係る鼻毛抜き器において、前記把持部は、円柱状に延びる棒部材であり、前記複数の凹凸部は、前記先端側に所定の間隔をおいて形成される複数のドーナツ型の溝部であり、前記鍔部の外形は円形であることが好ましい。
【０００８】
また、本発明に係る鼻毛抜き器において、前記ドーナツ型の溝部の中心に位置する前記把持部の軸部は、１ｍｍ〜３ｍｍの直径を有し、前記鍔部の前記天井面は、１ｃｍ〜２ｃｍの直径を有し、前記鍔部の前記切欠きは、１ｍｍ〜３ｍｍの幅を有することが好ましい。
【発明の効果】
【０００９】
本発明によれば、鍔部の天井面に脱毛ワックスを載せて鼻腔内に差し込んで所定時間待つだけで鼻毛を脱毛することができる。したがって、より簡単かつ安全に鼻毛の処理をすることができる。
【図面の簡単な説明】
【００１０】
【図１】本発明に係る実施形態の鼻毛抜き器の側面図及び上面図である。
【図２】本発明に係る実施形態の鼻毛抜き器の斜視図及び一部拡大図である。
【発明を実施するための形態】
【００１１】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１２】
図１は、鼻毛抜き器１０を示す図であり、図１（ａ）は鼻毛抜き器１０の側面図であり、図１（ｂ）は鼻毛抜き器１０の上面図である。
【００１３】
図２は、鼻毛抜き器１０を示す図であり、図２（ａ）は鼻毛抜き器１０の斜視図であり、図２（ｂ）は鼻毛抜き器１０の一部拡大図である。
【００１４】
鼻毛抜き器１０は、脱毛ワックス８を用いて鼻毛を抜くための器具である。鼻毛抜き器１０は、把持部１２と、鍔部１４とを備えている。
【００１５】
脱毛ワックス８は、温めたときに液状になり、常温や体温では固まる性質を有しており、蜂蜜と砂糖を主成分とし水、ショ糖、ミツ、クエン酸を配合した所謂ブラジリアンワ
ックス或いはビキニワックスと呼ばれるワックスであるものとして説明するが、もちろん、その他のワックスであってもよい。
【００１６】
把持部１２は、一方向に延伸し、先端１２Ｔ側に設けられた複数の凹凸部１６を有する部材である。把持部１２は、円柱状に延びる棒部材であり、先端１２Ｔ側は丸みを帯びた端部を含み、基端側は平坦面を有している。
【００１７】
把持部１２は、６ｃｍ〜８ｃｍの長さに設定することが好ましく、円柱の直径は３ｍｍ〜８ｍｍに設定することが好適である。把持部１２は、軽量、かつ、適度な強度を有する樹脂などで構成することができる。
【００１８】
複数の凹凸部１６は、先端１２Ｔ側に所定の間隔をおいて形成される複数のドーナツ型の溝部１６ｂを備えている。ここでは、ドーナツ型の３つの溝部１６ｂ（凹部）を形成することで３つの溝部１６ｂの間に２つの凸部が形成されて複数の凹凸部１６が構成されるものとして説明するが、溝部１６ｂの数は適宜変更することができる。
【００１９】
溝部１６ｂの溝幅は、１ｍｍ〜２ｍｍに設定することが好ましい。また、溝部１６ｂの溝の深さは、１ｍｍ〜２ｍｍに設定することが好適である。さらに、溝部１６ｂの中心に位置する把持部１２の軸部１６ａは、１ｍｍ〜３ｍｍの直径を有する。
【００２０】
３つの溝部１６ｂ同士の間隔、すなわち、凸部の幅は、ここでは、１ｍｍ〜２ｍｍに設定することが好ましいが、もちろん、適宜変更可能である。
【００２１】
鍔部１４は、複数の凹凸部１６の１つに嵌合可能な切欠き１４ａを有する。鍔部１４は、先端１２Ｔ側に位置する天井面に脱毛ワックス８が載置される。
【００２２】
鍔部１４の外形は、円形である。鍔部１４の天井面は、１ｃｍ〜２ｃｍの直径を有する。鍔部１４の切欠き１４ａは、１ｍｍ〜３ｍｍの幅を有し、切欠き１４ａの長さは、鍔部１４の略中心に到達する長さである。鍔部１４の厚みは、溝部１６ｂの溝幅と合せて１ｍｍ〜２ｍｍに設定することが好ましい。
【００２３】
続いて、上記構成の鼻毛抜き器１０の作用について説明する。ユーザが鼻毛を抜きたい場合に脱毛ワックス８を所定の温度に温めて溶かした状態とする。
【００２４】
その後、ユーザは把持部１２の基端部を掴みつつ、図２（ｂ）に示されるように、鍔部１４の天井面に脱毛ワックス８を盛り上げる。このとき、脱毛ワックス８が盛り上がって形成された山型の脱毛ワックス８の中心に把持部１２が位置することで脱毛ワックス８が安定して起立したような盛り上がり状態を保持することができる。
【００２５】
そして、そのまま鍔部１４の天井面に盛られた脱毛ワックス８が鼻腔内に挿入されるように把持部１２の先端１２Ｔ側を鼻孔に入れる。
【００２６】
脱毛ワックス８を鼻腔内の鼻毛に絡めた状態で所定時間放置すると鼻毛が脱毛された状態で脱毛ワックス８が固まるため、把持部１２の先端１２Ｔ側を鼻腔から引き出すと鼻毛を抜き取ることができる。
【００２７】
従来、鼻毛が伸びたときの処理方法として、ハサミなどを用いてカットしていたが、ユーザは鏡を見ながら鼻毛を切る必要があり、労力や時間がかかるとともにハサミで鼻腔内の粘膜を傷つけてしまうという課題があった。
【００２８】
これに対し、鼻毛抜き器１０によれば、脱毛ワックス８を用いて鼻毛を脱毛しているため、簡単かつ安全に鼻毛を抜くことができるという利点がある。
【００２９】
また、鼻毛抜き器１０によれば、鍔部１４を複数の凹凸部１６の中から１つに嵌合させて使用することが出来る。ユーザによっては鼻の大きさ、すなわち、鼻腔内の空間領域の大きさが異なることとなるが、鼻毛抜き器１０によれば、ユーザの鼻の大きさに応じて鍔部１４の位置を変えることができる。
【００３０】
そして、鍔部１４の位置を変えると、鍔部１４の天井面に盛られた脱毛ワックス８の量や脱毛ワックス８の高さを容易に変えることができるため、ユーザの鼻腔内の空間領域の大きさに応じて適宜調整しやすいという利点がある。
【００３１】
また、鍔部１４が嵌合された位置よりも上方の凹凸部１６には、脱毛ワックス８が挿入されて接触面積を増やすことができるため、鍔部１４の天井面に盛られた脱毛ワックス８の山型の形を安定して起立したような状態に保つことができるという効果も奏する。
【符号の説明】
【００３２】
８  脱毛ワックス、１０  鼻毛抜き器、１２  把持部、１２Ｔ  先端、１４  鍔部、１６  凹凸部、１６ａ  軸部、１６ｂ  溝部。
【図１】
2020089609.tif 000003
【図２】
2020089609.tif 000004